(57)【要約】【課題】  フラットベットスキャナを備えた装置であっても、ハンドセットの配置で装置の小型化を妨げない画像読取記録装置を提供する。【解決手段】  原稿を被読取面に固定して読み取る画像読取手段Ａと、記録材に画像を記録するための画像記録手段Ｂと、電話におけるハンドセット14とを有し、ファクシミリ機能を備えた画像読取記録装置において、前記画像読取手段Ａを装置本体の上部に配置し、前記ハンドセット14を前記画像読取手段Ａの投影内下方で、前記画像記録手段の側方に配置したことを特徴とする。【選択図】    図１
2006129031.tif 000002
【特許請求の範囲】
【請求項１】
原稿を被読取面に固定して読み取る画像読取手段と、記録材に画像を記録するための画像記録手段と、電話におけるハンドセットとを有し、ファクシミリ機能を備えた画像読取記録装置において、
前記画像読取手段を装置本体の上部に配置し、前記ハンドセットを前記画像読取手段の投影内下方で、前記画像記録手段の側方に配置したことを特徴とする画像読取記録装置。
【請求項２】
前記画像記録手段は記録材にインク滴を吐出して記録を行うインクジェット記録手段であることを特徴とする請求項１記載の画像読取記録装置。
【請求項３】
前記画像読取手段は前記被読取面が略水平に配置されることを特徴とする請求項１又は請求項２に記載の画像読取記録装置。
【発明の詳細な説明】
【技術分野】
【０００１】
本発明は、ハンドセットを有するファクシミリ機能を有する画像読取記録装置に関する。
【背景技術】
【０００２】
今日、画像読取手段と画像記録手段を備えた複写機等の画像読取記録装置は小型化が図られ、個人ユースにおいても広く普及するようになっている。
【０００３】
このような小型の装置にあっては、複写機能の他に、図５に示すように、ハンドセット100を備え、通信可能とすることで電話やファクシミリ機能を備えた、多機能型のものが多く使用されている（特許文献１）。
【０００４】
【特許文献１】特開平０６−２６１１７３号公報
【発明の開示】
【発明が解決しようとする課題】
【０００５】
しかしながら、上記従来例では、画像読取手段としてフラットベットスキャナ101を装置上部に持つ構成の場合、スキャナ101の範囲内上部にハンドセット100は配置できないため、ハンドセット100が装置本体の側方へ飛び出してしまい、これが装置の小型化の妨げとなっていた。
【０００６】
本発明は上記点に鑑みてなされたものであり、その目的は、フラットベットスキャナを備えた装置であっても、ハンドセットの配置で装置の小型化を妨げない画像読取記録装置を提供するものである。
【課題を解決するための手段】
【０００７】
上記課題を解決するための本発明における代表的な手段は、原稿を被読取面に固定して読み取る画像読取手段と、記録材に画像を記録するための画像記録手段と、電話におけるハンドセットとを有し、ファクシミリ機能を備えた画像読取記録装置において、前記画像読取手段を装置本体の上部に配置し、前記ハンドセットを前記画像読取手段の投影内下方で、前記画像記録手段の側方に配置したことを特徴とする。
【発明の効果】
【０００８】
本発明はハンドセットを画像読取手段の投影内下方で画像記録手段の側方に配置することにより、ハンドセットが装置本体から出っ張らなくなる。このため、装置の小型化が可能となるものである。
【発明を実施するための最良の形態】
【０００９】
次に本発明の一実施形態について、図面を参照して説明する。
【００１０】
図１及び図２は画像読取記録装置の斜視説明図であり、図３は画像読取記録装置の断面説明図である。
【００１１】
本実施形態の画像読取記録装置は、図１及び図２に示すように、装置本体上部に画像読取手段Ａが配置され、その下方に画像記録手段Ｂが配置されている。
【００１２】
画像読取手段Ａは、図２に示すように、フラットベット型であり、本体上面に原稿の被読取面となるプラテンガラス１が略水平に配置され、このプラテンガラス１上に原稿を固定して読み取るものである。そのために、プラテンガラス１上には原稿を押さえるための圧板２が開閉可能に設けられている。
【００１３】
また、プラテンガラス１の下方には、図３に示すように、コンタクトセンサ３が走査可能に設けられている。そして、プラテンガラス１上に原稿をセットした状態で、コンタクトセンサ３を原稿面に沿ってスキャンすることにより、光学的に読み取った原稿情報を光電変換素子によってデジタル変換して電気信号に変換する。
【００１４】
そして、上記読取情報はコピーモードの場合は自己の画像記録手段へ伝送して画像形成し、ファクシミリモードの場合は通信回線を介して他機の画像記録手段へ伝送する。
【００１５】
画像記録手段Ｂはインクジェット記録方式を用いている。すなわち、図３に示すように、キャリッジ４に記録ヘッドとインクタンクとが一体になったインクカートリッジ５が搭載され、該キャリッジ４が記録材の幅方向（記録材搬送方向と直交する方向）に設けられたガイドレール６にそって往復移動可能に構成されている。
【００１６】
前記インクカートリッジ５の記録ヘッドは微細な液体吐出口（オリフィス）、液路及びこの液路の一部に設けられるエネルギー作用部と、該作用部にある液体に作用させる液滴形成エネルギーを発生するエネルギー発生手段を備えている。
【００１７】
本実施形態ではインクの吐出構成として、記録信号に応じて電気熱変換体に通電し、その熱エネルギーによってインクに生ずる膜沸騰を利用してインクに生ずる気泡の成長、収縮により、インクを吐出口から吐出して記録を行うように構成している。このように、熱エネルギーによって気泡を成長収縮させてインクを吐出させることで、特に応答性に優れた液体の吐出が達成できる。
【００１８】
なお、本実施形態の記録手段はイエロー、マゼンタ、シアン、ブラックの各色インクを吐出し得るインクカートリッジが搭載され、カラー画像を記録し得るようになっている。
【００１９】
また、前記キャリッジ４の走査領域には該インクカートリッジ５のインク吐出面と対向する位置にプラテン７が設けられ、このプラテン７上を記録材が搬送されるように搬送手段が設けられている。すなわち、給送トレイ８にセットされた記録材Ｓは給送ローラ９によって一枚ずつ分離給送され、搬送ローラ対10及び排出ローラ対11によって搬送される間にキャリッジ走査されるとともにインクカートリッジ５から記録材へ画信号に応じたインク吐出が行われて画像が記録される。そして、記録後の記録材Ｓは排出トレイ12に排出される。
【００２０】
また、装置前面には使用者が複写機やファクシミリとして使用する場合に操作するための操作部13が配置されている。
【００２１】
次に本実施形態のハンドセットの配置について説明する。本実施形態の画像読取記録装置は電話機能を有しており、ハンドセットを用いることで電話として使用することができるようになっている。
【００２２】
上記ハンドセットは画像読取手段Ａの投影内下方であって、記録手段Ｂの側方に配置されている。すなわち、装置本体の一方側側面にはコードレスハンドセット14が配置され（図１参照）、他方側の側面にはハンドセットコード15ａが装置本体に接続された有線ハンドセット15が配置されている（図２参照）。
【００２３】
それぞれのハンドセット14，15は、装置本体の側面に形成された凹部16に嵌り込むように係止可能となっている。そして、前記凹部16にはハンドセット14，15を取り出し易いように指かけ凹部16ａが形成されている。
【００２４】
そして、前記凹部16に係止した状態では、ハンドセット14，15は装置本体側面から突出しないように構成されている。
【００２５】
上記のように、ハンドセット14，15を画像読取手段Ａの投影内下方に配置することでハンドセット14，15は装置本体から出っ張らなくなり、これによって装置の小型化が可能となる。
【００２６】
なお、記録方式としてインクジェット記録方式を用いた場合、記録手段Ｂを小型化することが容易である。そのため、図４に示すように、装置本体の高さが低い小型の記録手段Ｂに構成した場合は、前述のようにハンドセット14，15を画像読取手段Ａの投影内下方で記録手段Ｂの側方に配置する構成は、装置の小型化に効果的である。
【００２７】
なお、本実施形態ではハンドセットを２個設けているが、これは１個の場合でも３個以上の場合でも同様の効果を得ることができる。
【図面の簡単な説明】
【００２８】
【図１】画像読取記録装置の斜視説明図である。
【図２】画像読取記録装置の斜視説明図である。
【図３】画像読取記録装置の断面説明図である。
【図４】画像読取記録装置の他例の説明図である。
【図５】従来技術の説明図である。
【符号の説明】
【００２９】
Ａ    …画像読取手段
Ｂ    …画像記録手段
Ｓ    …記録材
１    …プラテンガラス
２    …圧板
３    …コンタクトセンサ
４    …キャリッジ
５    …インクカートリッジ
６    …ガイドレール
７    …プラテン
８    …給送トレイ
９    …給送ローラ
10    …搬送ローラ対
11    …排出ローラ対
12    …排出トレイ
13    …操作部
14    …コードレスハンドセット
15    …有線ハンドセット
15ａ  …ハンドセットコード
16    …凹部
16ａ  …指かけ凹部
【図１】
2006129031.tif 000003
【図２】
2006129031.tif 000004
【図３】
2006129031.tif 000005
【図４】
2006129031.tif 000006
【図５】
2006129031.tif 000007